(57)【要約】【課題】端子間の接続信頼性を確保する。【解決手段】サービスプラグ１０であって、ヒューズ４０を収容する可動側ハウジング２１と、可動側ハウジング２１と嵌合可能な待受側ハウジング６１と、ヒューズ４０に設けられ、待受側ハウジング６１に向けて延びる一対のリード端子４２と、待受側ハウジング６１の端子収容部６２に収容され、両ハウジング２１，６１が嵌合する際に、一対のリード端子４２が個別に挿入されてリード端子４２と電気的に接続される一対の雌端子７０と、可動側ハウジング２１におけるロアケース２２の底壁２５からリード端子４２に沿うように突出して設けられ、一対のリード端子４２の幅方向両側からリード端子４２の端子接続部４３をそれぞれ支持する可動側端子支持部３１と、待受側ハウジング６１に設けられ、可動側端子支持部３１と共に端子接続部４３を幅方向両側から支持する待受側端子支持部６６とを備えるところに特徴を有する。【選択図】図３
2015170589.tif 000002
【特許請求の範囲】
【請求項１】
電子素子を収容する第１ハウジングと、
前記第１ハウジングと嵌合可能な第２ハウジングと、
前記電子素子の両端部に設けられ、前記第２ハウジングに向けて延びる一対のリード端子と、
前記第２ハウジングに収容され、前記第１ハウジングと前記第２ハウジングとが嵌合する際に、前記一対のリード端子が内部に個別に挿入されて前記リード端子と電気的に接続される一対の雌端子と、
前記第１ハウジングの壁部から前記リード端子に沿うように突出して設けられ、前記一対のリード端子の並び方向である幅方向両側から前記リード端子をそれぞれ支持する第１端子支持部と、
前記第２ハウジングに設けられ、前記第１端子支持部と共に前記リード端子を幅方向両側から支持する第２端子支持部と、を備えるコネクタ。
【請求項２】
前記リード端子の先端部には、前記雌端子と接続される端子接続部が設けられており、
前記リード端子は、前記端子接続部の位置を前記リード端子の並び方向である幅方向に調整にする位置調整部を有している請求項１記載のコネクタ。
【請求項３】
前記位置調整部は、前記電子素子の両端部から外方に向かって湾曲状に張り出すことで弾性変位可能に形成されている請求項２記載のコネクタ。
【請求項４】
前記一対のリード端子における前記端子接続部間の距離は、前記位置調整部の一端が前記電子素子の軸心と平行となるようにオフセットされることで、前記電子素子の素子本体の幅寸法よりも小さく設定されている請求項３記載のコネクタ。
【請求項５】
前記第２端子支持部は、前記第１ハウジング側に向けて突出した形態で前記リード端子を前記雌端子に案内する案内部を有している請求項１から請求項４の何れか一項に記載のコネクタ。
【請求項６】
前記第１端子支持部と前記第２端子支持部とは、前記第１ハウジングと前記第２ハウジングとが嵌合することで、凹凸嵌合して一体となる請求項１から請求項５の何れか一項に記載のコネクタ。
【発明の詳細な説明】
【技術分野】
【０００１】
本発明は、コネクタに関する。
【背景技術】
【０００２】
例えば、ヒューズを収容する第２コネクタハウジングと、ヒューズの両端部に設けられた一対の雄端子と接続可能な一対の雌端子を収容する第１ハウジングとを備えたコネクタとして、下記特許文献１に記載のものが知られている。
このコネクタは、第１コネクタハウジングと第２コネクタハウジングとが嵌合すると雄端子と雌端子とがそれぞれ接続されて電気回路が構成されるようになっている。また、電気回路に過電流が流れた場合には、ヒューズによって電気回路が保護されるようになっている。
【先行技術文献】
【特許文献】
【０００３】
【特許文献１】特開２０１３−６２０４２号公報
【発明の概要】
【発明が解決しようとする課題】
【０００４】
ところで、上記のコネクタは、第１コネクタハウジングと第２コネクタハウジングとが嵌合する際に、各雄端子が第２コネクタハウジングに設けられた端子挿通孔に挿入されて端子挿通孔の奥に配された雌端子に接続される。
しかしながら、ヒューズなどの電子素子は、製造法によっては素子本体の大きさにばらつきが生じ易く、それに起因して一対の雄端子間のピッチ精度が低下し、雄端子を端子挿通孔に挿入することができなくなってしまう虞がある。
【０００５】
また、雄端子を端子挿通孔に挿入することができたとしても、雄端子間のピッチにばらつきがあると、端子挿通孔に挿入された雄端子が傾いて正規の姿勢とは異なる不正な姿勢で雌端子に接続されるなど、端子間の接続信頼性を確保することができなくなってしまう。
【０００６】
本発明は上記のような事情に基づいて完成されたものであって、端子間の接続信頼性を確保することを目的とする。
【課題を解決するための手段】
【０００７】
本発明のコネクタは、電子素子を収容する第１ハウジングと、前記第１ハウジングと嵌合可能な第２ハウジングと、前記電子素子の両端部に設けられ、前記第２ハウジングに向けて延びる一対のリード端子と、前記第２ハウジングに収容され、前記第１ハウジングと前記第２ハウジングとが嵌合する際に、前記一対のリード端子が内部に個別に挿入されて前記リード端子と電気的に接続される一対の雌端子と、前記第１ハウジングの壁部から前記リード端子に沿うように突出して設けられ、前記一対のリード端子の並び方向である幅方向両側から前記リード端子をそれぞれ支持する第１端子支持部と、前記第２ハウジングに設けられ、前記第１端子支持部と共に前記リード端子を幅方向両側から支持する第２端子支持部と、を備えるところに特徴を有する。
【０００８】
このような構成のコネクタによると、第１ハウジングと第２ハウジングとが嵌合する前の状態では、第１ハウジングからリード端子に沿って突出する形態の第１端子支持部によってリード端子が両側から支持される。これにより、リード端子が正規の位置に位置決めされ、一対のリード端子間のピッチが矯正される。
つまり、上記の構成によると、リード端子を幅方向から支持する範囲が、リード端子が延びる方向に大きくなっているから、例えば、端子支持部がないものや端子支持部がリード端子に沿うように形成されていないものに比べて一対のリード端子間のピッチを正しく矯正することができる。
【０００９】
そして、第１ハウジングと第２ハウジングとが嵌合すると、一対のリード端子が第１端子支持部に加えて第２端子支持部によっても両側から支持されてリード端子の位置がさらに矯正される。
すなわち、仮に電子素子の大きさにばらつきが生じたとしても、第１端子支持部および第２端子支持部によって一対のリード端子間のピッチが正しく矯正され、リード端子が正規の姿勢となって雌端子と接続されるから、リード端子と雌端子間の接続信頼性を確保することができる。
【００１０】
本発明の実施の態様として、以下の構成が好ましい。
前記リード端子の先端部には、前記雌端子と接続される端子接続部が設けられており、前記リード端子は、前記端子接続部位置を前記リード端子の並び方向である幅方向に調整にする位置調整部を有している構成としてもよい。
このような構成によると、端子接続部の位置を幅方向に調整することができるから、第１端子支持部によって端子接続部の位置を容易に矯正することができる。ひいては端子接続部間のピッチを矯正し易くすることができる。
【００１１】
前記位置調整部は、前記電子素子の両端部から外方に向かって湾曲状に張り出すことで弾性変位可能に形成されている構成としてもよい。
このような構成によると、リード端子の一部を湾曲させて位置調整部を形成するだけで、端子接続部を基本の位置に配しつつ、リード端子の位置にずれが生じた場合には、位置調整部を弾性変位させることで、端子接続部を幅方向に変位させて位置調整をすることができる。
【００１２】
前記一対のリード端子における前記端子接続部間の距離は、前記位置調整部の一端が前記電子素子の軸心と平行となるようにオフセットされることで、前記電子素子の素子本体の幅寸法よりも小さく設定されている構成としてもよい。
このような構成によると、一対のリード端子間のピッチが小さくなることで、第２ハウジングの雌端子間のピッチも小さくできるから、雌端子間の領域の外側側のスペースを有効に利用することができる。
【００１３】
前記第２端子支持部は、前記第１ハウジング側に向けて突出した形態で前記リード端子を前記雌端子に案内する案内部を有している構成としてもよい。
このような構成にすると、リード端子を雌端子に案内する案内部が第２端子支持部から突出して形成されているから、例えば、第２端子支持部に案内部を突出させずに形成する場合に比べて、案内部が突出した分だけ、第２端子支持部においてリード端子を支持する範囲を大きくすることができる。
【００１４】
前記第１端子支持部と前記第２端子支持部とは、前記第１ハウジングと前記第２ハウジングとが嵌合することで、凹凸嵌合して一体となる構成としてもよい。
このような構成によると、第１端子支持部と前記第２端子支持部とが凹凸嵌合することで、端子支持部同士が位置決めされて一体となるから、第１端子支持部と第２端子支持部との間の位置ずれをなくすことができる。
【発明の効果】
【００１５】
本発明によれば、端子間の接続信頼性を確保することができる。
【図面の簡単な説明】
【００１６】
【図１】待受側コネクタと可動側コネクタとが嵌合する前の状態を示す断面図
【図２】待受側コネクタと可動側コネクタとが浅く嵌合した状態を示す断面図
【図３】待受側コネクタと可動側コネクタとが嵌合した状態を示す断面図
【図４】要部拡大断面図
【発明を実施するための形態】
【００１７】
＜実施形態＞
本発明の一実施形態について図１から図４を参照して説明する。
本実施形態は、電気自動車やハイブリッド自動車などの車両（図示せず）の電源回路に接続されるサービスプラグ１０を例示している。サービスプラグ（「コネクタ」の一例）１０は、図１に示すように、可動側コネクタ２０と、車両に固定される待受側コネクタ６０とを備えて構成されており、図３に示すように、待受側コネクタ６０に可動側コネクタ２０を嵌合させることで電源回路が構成されるようになっている。
【００１８】
待受側コネクタ６０は、図１に示すように、上方に向けて開口する合成樹脂製の待受側ハウジング（「第２ハウジング」の一例）６１を有している。待受側ハウジング６１の内部には、雌端子７０をそれぞれ収容する一対の端子収容部６２が幅方向に並んで設けられている。
一対の端子収容部６２内には、下方から雌端子７０がそれぞれ収容されており、端子収容部６２内に収容された雌端子７０は端子収容部６２内に設けられたランス６４によって保持されている。
【００１９】
雌端子７０は、複数の弾性接触片７２を有する接続筒部７１と、接続筒部７１から下方に延出されて幅方向に屈曲された板状の回路接続部７３とを備えて構成されている。
接続筒部７１は角筒状をなしており、接続筒部７１の幅方向両側上縁に、弾性接触片７２が下方に折り返した形態でそれぞれ形成されている。
【００２０】
接続筒部７１内には、後述する可動側コネクタ２０の端子接続部４３が端子収容部６２の上壁６３に設けられた待受側端子挿通孔６５を通して上方から挿入可能とされている。接続筒部７１内に端子接続部４３が挿入されると、図３に示すように、端子接続部４３に各弾性接触片７２が弾性的に接触することで、端子接続部４３と雌端子７０とが電気的に接続されるようになっている。
回路接続部７３には、電源回路に連なる導電部材（図示せず）が例えばボルトなどの締結部材（図示せず）によって接続されるようになっている。
【００２１】
可動側コネクタ２０は、図１に示すように、合成樹脂製の可動側ハウジング（「第１ハウジング」の一例）２１と、可動側ハウジング２１内に収容されるヒューズ（「電子素子」の一例）４０とを備えて構成されている。
可動側ハウジング２１は、ヒューズ４０を下方から支持するロアケース２２に上方からアッパケース２３を組み付けることで構成されている。
【００２２】
ロアケース２２は、上方に開口した幅広な箱形状をなしており、ロアケース２２の底壁（「壁部」の一例）２５における幅方向中央部には、ヒューズ４０が載置される一対の載置部２４が幅方向並んで設けられている。
各載置部２４は、ロアケース２２の底壁２５から上方に突出した形態をなしており、この載置部２４の上端にヒューズ４０が載置されている。
【００２３】
載置部２４の幅方向両側には、ブロック状の位置決め部２６が設けられており、この位置決め部２６に対してヒューズ４０が幅方向から当接することで、ヒューズ４０の幅方向への移動が防がれている。
ヒューズ４０は、幅方向に横長な略円柱状の素子本体４１と、素子本体４１の幅方向両端部に設けられた一対のリード端子４２とを備えて構成されている。
【００２４】
素子本体４１は、ロアケース２２の載置部２４に上方から載置可能とされており、素子本体４１が載置部２４に載置されると、素子本体４１における幅方向中央からやや両端部よりの２箇所の位置が載置部２４によって支持されるようになっている。また、素子本体４１がロアケース２２の載置部２４に載置されると、素子本体４１の上半分がロアケース２２の上端開口から上方に突出した状態となる。
【００２５】
各リード端子４２は板状をなしており、各リード端子４２の先端部分は、下方に配置された待受側コネクタ６０に向けて真っ直ぐ延びる端子接続部４３とされている。
端子接続部４３は、ロアケース２２の底壁２５に設けられた可動側端子挿通孔２７に上方から挿通可能とされている。可動側端子挿通孔２７の上端開口縁部には、下方に向かうほど可動側端子挿通孔２７の中心に向かって傾斜する案内面２８が形成されており、案内面２８によって案内された端子接続部４３が可動側端子挿通孔２７に挿通されることで、ロアケース２２の底壁２５から端子接続部４３が下方に突出している。
【００２６】
アッパケース２３は、ロアケース２２内に上方から嵌合可能な小フード部２９と、小フード部２９の外側を覆う大フード部３０とを備えて構成されている。
小フード部２９は、アッパケース２３がロアケース２２に上方から組み付けられる過程でロアケース２２の上端開口の内側に緊密に嵌合されるようになっている。また、小フード部２９とロアケース２２との嵌合過程において、小フード部２９の下端開口縁部がロアケース２２の内壁に設けられた止部２２Ａに上方から当接することで、小フード部２９がロアケース２２に対して正規の嵌合位置に位置決めされるようになっている。
【００２７】
また、小フード部２９の奥壁２９Ａは、小フード部２９とロアケース２２とが正規に嵌合すると、載置部２４と共にヒューズ４０の素子本体４１を上下から挟み付けるようになっている。ヒューズ４０は載置部２４と小フード部２９の奥壁２９Ａとに挟み付けられることで可動側ハウジング２１内において上下に移動できないように固定されている。
【００２８】
大フード部３０は、ロアケース２２を内部に完全に収容できる大きさとされており、ロアケース２２と小フード部２９とが正規に嵌合されると、大フード部３０内にロアケース２２が完全に収容されるようになっている。また、大フード部３０内にロアケース２２が完全に収容された状態においても、ロアケース２２の底壁２５から下方に突出した端子接続部４３は大フード部３０から下方に突出した状態となっている。
【００２９】
大フード部３０とロアケース２２との間には、待受側ハウジング６１が嵌合可能とされている。可動側コネクタ２０と待受側コネクタ６０とが嵌合すると、大フード部３０内に待受側ハウジング６１が緊密に嵌合されると共に、待受側ハウジング６１内に可動側ハウジング２１のロアケース２２が緊密に嵌合される。
【００３０】
また、可動側ハウジング２１の大フード部３０と待受側ハウジング６１との嵌合過程において、待受側ハウジング６１が大フード部３０とロアケース２２との間に浅く嵌合すると、大フード部３０から下方に突出する端子接続部４３が、端子収容部６２における待受側端子挿通孔６５に進入する。そして、端子接続部４３と接続筒部７１の弾性接触片７２とが弾性的に接触することでヒューズ４０のリード端子４２と雌端子７０とが電気的に接続されるようになっている。
【００３１】
さて、可動側ハウジング２１におけるロアケース２２には、図１および図２に示すように、端子接続部４３の幅方向の位置を位置決めする可動側端子支持部（「第１端子支持部」の一例）３１が設けられ、待受側ハウジング６１には、可動側端子支持部３１と共に端子接続部４３の幅方向の位置を位置決めする待受側端子支持部（「第２端子支持部」の一例）６６が設けられている。
【００３２】
可動側端子支持部３１は、図４に示すように、ロアケース２２の底壁２５における可動側端子挿通孔２７の開口縁部から端子接続部４３に沿う形態で待受側ハウジング６１側である下方に突出して形成されており、その突出寸法はロアケース２２の底壁２５の約２倍に設定されている。
【００３３】
可動側端子支持部３１の下端部には、上方に凹状に凹んだ嵌合凹部３２が設けられており、可動側端子支持部３１において嵌合凹部３２の奥壁３２Ａからロアケース２２の底壁２５までの範囲が端子接続部４３に対して近接して配されている。
つまり、可動側端子支持部３１において端子接続部４３に近接する部分は、ロアケース２２における底壁２５の板厚寸法の約２倍の長さ寸法とされており、この部分が端子接続部４３を径方向から支持することで端子接続部４３の幅方向の位置が位置決めされるようになっている。
【００３４】
待受側端子支持部６６は、図４に示すように、端子収容部６２において待受側端子挿通孔６５を構成する周壁であって、待受側端子支持部６６は、待受側端子挿通孔６５に挿通される端子接続部４３に近接して配置されている。そして、端子接続部４３に近接して配された待受側端子支持部６６が待受側端子挿通孔６５に挿通された端子接続部４３を径方向から支持することで端子接続部４３の幅方向の位置が位置決めされるようになっている。
【００３５】
また、待受側端子支持部６６は、図４に示すように、端子収容部６２における待受側端子挿通孔６５の開口縁から可動側ハウジング２１側である上方に突出する突状の案内部６７を有している。案内部６７には、下方に向かうほど待受側端子挿通孔６５の中心に向けて傾斜する傾斜面６８が設けられており、この傾斜面６８に端子接続部４３が案内されることで、端子接続部４３が待受側端子挿通孔６５および雌端子７０に案内されるようになっている。
【００３６】
つまり、案内部６７が待受側端子支持部（端子収容部６２の上壁６３）６６から上方に突出して形成されたことにより、案内部６７が突出した分だけ、待受側端子支持部６６において端子接続部４３を支持する範囲を大きくすることができるようになっている。
【００３７】
また、案内部６７は、可動側端子支持部３１の嵌合凹部３２内に下方から嵌合可能とされており、案内部６７と嵌合凹部３２とが嵌合されると、可動側端子挿通孔２７と待受側端子挿通孔６５とが上下に一直線上に並んだ状態となると共に、可動側端子支持部３１と待受側端子支持部６６とが上下方向に凹凸嵌合することで一体となるように構成されている。
【００３８】
一方、ヒューズ４０の各リード端子４２には、図１に示すように、可動側端子支持部３１および待受側端子支持部６６によって端子接続部４３を位置決めする際に、端子接続部４３の幅方向の位置を調整する位置調整部４４が設けられている。
各位置調整部４４は、素子本体４１の幅方向両端部から互いに反対側である外方に向かって僅かに延出した後、その延出端から外方に張り出すように下方に向けて半円状に湾曲する弾性変位可能な弾性部４５と、弾性部４５の下端部から幅方向に真っ直ぐ延びて端子接続部４３の上端部に一体に連結される連結部４６とを有する形態とされている。
【００３９】
連結部４６は、素子本体４１の軸心と平行となるように素子本体４１の下方にオフセットされた配置とされており、連結部４６において端子接続部４３と連結した部分は素子本体４１とロアケース２２の底壁２５との間の隙間に入り込んだ状態となっている。つまり、一対の端子接続部４３間の距離Ｌ１は、素子本体４１の幅寸法Ｌ２よりも小さくなっており、これに伴い、待受側ハウジング６１における一対の端子収容部６２間の距離も小さく設定されている。これにより、待受側ハウジング６１において一対の端子収容部６２が設けられた領域の外側のスペースを有効に利用することができるようになっている。
【００４０】
本実施形態のサービスプラグ１０は、以上のような構成であって、続いて、サービスプラグ１０の組み付け手順を簡単に説明すると共に、本実施形態の作用および効果について説明する。
最初に、可動側コネクタ２０の組み付け手順を説明する。
まず、ロアケース２２の可動側端子挿通孔２７に、ヒューズ４０のリード端子４２における端子接続部４３を上方から挿入して、ロアケース２２にヒューズ４０を組み付ける。
【００４１】
ところで、ヒューズ等の電子素子は、製造法によっては素子本体の幅方向の大きさにばらつきが生じ易く、これに起因して一対のリード端子における端子接続部間のピッチ精度が低下する。仮に端子接続部間のピッチにずれが生じていると、端子接続部が雌端子７０に対して不正な姿勢で接続され、端子間の接続信頼性が確保できなくなることが懸念される。
【００４２】
ところがこのような場合、本実施形態によると、ロアケース２２の底壁２５から端子接続部４３に沿う形態で下方に突出する可動側端子支持部３１によって端子接続部４３が幅方向から支持される。また、可動側端子支持部３１によって端子接続部４３を幅方向から支持する範囲は、可動側端子支持部３１において嵌合凹部３２の奥壁３２Ａからロアケース２２の底壁２５までであって、この長さ寸法は、ロアケース２２における底壁２５の板厚寸法の約２倍の長さ寸法とされている。つまり、本実施形態によると、例えば、端子支持部がないものや端子支持部がリード端子に沿うように形成されていないものに比べて、各端子接続部４３の位置を正規の位置に矯正することができるようになっている。ひいては、端子接続部４３間のピッチを正規の寸法に設定することができる。
【００４３】
また、素子本体４１の幅方向の寸法のずれが大きいと、各端子接続部４３の位置ずれが大きくなり、端子接続部４３を可動側端子挿通孔２７に挿入することができなくなってしまうことが懸念される。
ところが、本実施形態によると、端子接続部４３を基本の位置に配しつつ、各端子接続部４３の位置ずれが大きい場合には、リード端子４２の位置調整部４４における弾性部４５を弾性変位させることで、一対のリード端子４２における端子接続部４３の位置ずれを正規の位置に容易に調整することができる。これにより、端子接続部４３を可動側端子挿通孔２７に挿入することができる。
【００４４】
可動側端子挿通孔２７に端子接続部４３が挿入できたところで、ヒューズ４０の素子本体４１をロアケース２２の載置部２４に載置し、ヒューズ４０をロアケース２２内に収容する。
次に、ロアケース２２内にアッパケース２３の小フード部２９を嵌合させるようにしてアッパケース２３を組み付けることで可動側ハウジング２１が構成され、図１に示すように、可動側コネクタ２０が完成する。
【００４５】
次に、待受側コネクタ６０の組み付け手順を説明する。
待受側ハウジング６１の下方から各端子収容部６２に対して雌端子７０を挿入する。端子収容部６２に対して雌端子７０が正規の位置まで挿入されると、ランス６４によって雌端子７０が保持され、図１に示すように、待受側コネクタ６０が完成する。
【００４６】
次に、待受側コネクタ６０への可動側コネクタ２０の組み付け手順を説明する。
待受側コネクタ６０に対して可動側コネクタ２０を上下方向に向かい合わせに配置し、待受側コネクタ６０に対して可動側コネクタ２０を上方から嵌合させる。
この嵌合過程では、まず、可動側コネクタ２０の大フード部３０内に待受側ハウジング６１が浅く嵌合し、可動側ハウジング２１から下方に突出する一対の端子接続部４３が、端子収容部６２の上端に設けられた案内部６７の傾斜面６８に案内され、図２に示すように、待受側端子挿通孔６５に挿入される。
【００４７】
この挿入過程では、端子接続部４３が待受側端子挿通孔６５に進入し始めると、待受側端子挿通孔６５を構成する待受側端子支持部６６によって端子接続部４３の幅方向の位置が矯正される。そして、端子接続部４３が待受側端子支持部６６を貫通する時には、端子接続部４３の位置が可動側端子支持部３１と待受側端子支持部６６との双方において矯正され、端子接続部４３が雌端子７０に対して正規の姿勢で接続される。
【００４８】
ところで、端子接続部を待受側端子挿通孔に案内する案内部を端子収容部の上壁内に形成する方法も考えられる。しかしながら、案内部を端子収容部の上壁内に形成すると、待受側端子支持部によって端子接続部を支持する領域が無くなってしまい、端子接続部を支持することができなくなってしまう。
ところが、本実施形態によると、案内部６７が待受側端子支持部（端子収容部６２の上壁６３）６６から上方に突出して形成されているから、案内部６７が上方に突出した分だけ、待受側端子支持部６６において端子接続部４３を支持する範囲を大きくすることができる。
【００４９】
そして、可動側コネクタ２０と待受側コネクタ６０とが嵌合完了状態に至ると、図４に示すように、可動側端子支持部３１の嵌合凹部３２と待受側端子支持部６６の案内部６７とが上下方向に凹凸嵌合し、可動側端子支持部３１と待受側端子支持部６６とが互いに位置決めされて一体となることで、可動側端子挿通孔２７と待受側端子挿通孔６５とが上下に一直線上に並んだ状態となる。
【００５０】
つまり、待受側端子支持部と可動側端子支持部とが互いに嵌合することなく上下に突き合わされるような構成にすると、どちらかのハウジングが傾いたりすると、待受側端子支持部と可動側端子支持部との合わせ位置がずれてしまい、端子接続部を雌端子７０に対して正規の姿勢で接続させることができなくなる嫌いがある。
【００５１】
しかしながら、本実施形態によると、可動側端子支持部３１と待受側端子支持部６６とが互いに位置決めされて一体となり、可動側端子支持部３１と待受側端子支持部６６との間の幅方向の位置ずれをなくすことができるから、可動側端子挿通孔２７と待受側端子挿通孔６５とを上下に一直線上に並んだ状態にすることができる。ひいては、端子接続部４３を雌端子７０に対して正規の姿勢で接続させることができる。
【００５２】
以上のように、本実施形態によると、可動側コネクタ２０と待受側コネクタ６０との嵌合前の状態では、位置調整部４４を弾性変位させることで幅方向に位置調整された端子接続部４３が、ロアケース２２の底壁２５から下方に突出する可動側端子支持部３１によって支持されることで正規の位置に矯正される。
【００５３】
そして、可動側コネクタ２０と待受側コネクタ６０とが嵌合状態に至ると、可動側端子支持部３１に加えて待受側端子支持部６６によって端子接続部４３の幅方向の位置がさらに矯正される。これにより、端子接続部４３を雌端子７０に対して正規の姿勢で接続させることができ、リード端子４２と雌端子７０との接続信頼性を確保することができる。
【００５４】
また、本実施形態によると、可動側端子支持部３１をロアケース２２の底壁２５から下方に突出させると共に、待受側端子挿通孔６５に端子接続部４３を案内する案内部６７を端子収容部６２の上壁６３から上方に突出させているから、可動側端子支持部３１および待受側端子支持部６６において端子接続部４３を支持する範囲を上下方向に大きく確保することができるようになっている。
【００５５】
また、可動側コネクタ２０と待受側コネクタ６０とが嵌合状態に至ると、可動側端子支持部３１と待受側端子支持部６６とが互いに位置決めされて一体となるから、可動側端子支持部３１と待受側端子支持部６６との間の位置ずれに起因して端子接続部４３と雌端子７０とが位置ずれすることを防ぐことができるようになっている。
【００５６】
さらには、素子本体４１とロアケース２２の底壁２５との間の隙間に位置調整部４４の連結部４６を配して一対の端子接続部４３間の距離Ｌ１を素子本体４１の幅寸法Ｌ２よりも小さくすることで、一対の端子収容部６２間の距離も小さくしているから、待受側ハウジング６１において一対の端子収容部６２が設けられた領域の外側のスペースを有効に利用することができるようになっている。
【００５７】
＜他の実施形態＞
本発明は上記記述及び図面によって説明した実施形態に限定されるものではなく、例えば次のような実施形態も本発明の技術的範囲に含まれる。
（１）上記実施形態では、可動側端子支持部３１がロアケース２２の底壁２５から下方に突出する構成としたが、本発明はこのような態様に限定されるものではなく、例えば、可動側端子支持部がロアケースの底壁から上方に突出する構成としてもよく、ロアケースの底壁から上下に突出する構成としてもよい。
（２）上記実施形態では、位置調整部４４の弾性部４５を半円状に構成したが、本発明はこのような態様に限定されるものではなく、例えば、弾性部を山形状や波形状など幅方向に弾性変位可能に構成すればよい。
（３）上記実施形態では、素子本体４１の下方に位置調整部４４の連結部４６を配して一対の端子接続部４３間の距離Ｌ１を素子本体４１の幅寸法Ｌ２よりも小さくした構成したが、本発明はこのような態様に限定されるものではなく、例えば、一対の端子接続部４３間の距離を素子本体４１の幅寸法と同一もしくは大きい寸法に設定してもよい。
【００５８】
なお、他の実施形態もあくまで例示であって、上記に限定されるものではない。
【符号の説明】
【００５９】
２１：可動側ハウジング（第１ハウジング）
２５：底壁（壁部）
３１：可動側端子支持部（第１端子支持部）
４０：ヒューズ（電子素子）
４２：リード端子
４３：端子接続部
４４：位置調整部
６１：待受側ハウジング（第２ハウジング）
６６：待受側端子支持部（第２端子支持部）
６７：案内部
７０：雌端子
【図１】
2015170589.tif 000003
【図２】
2015170589.tif 000004
【図３】
2015170589.tif 000005
【図４】
2015170589.tif 000006